(57)【要約】      （修正有）【課題】残水が滞留しにくく、異音の発生を防止可能なリムノズルを提供する。【解決手段】便器本体１１０と、便器本体１１０に設けられ、便器本体１１０に洗浄水を供給するリム配管に接続されるリムノズル１と、を備える水洗式便器であって、リムノズル１は、ノズル本体１０と、ノズル本体１０の先端側に取り付けられ、便器本体１１０内へ吐水する貫通孔３４を備えるノズルキャップ３と、を有し、ノズルキャップ３は、ノズル本体１０との間に、リムノズル１内の残水を排出するための排出部３５が形成されるように配置される、水洗式便器である。【選択図】図２
2020133098.tif 000002
【特許請求の範囲】
【請求項１】
便器本体と、
前記便器本体に設けられ、前記便器本体に洗浄水を供給する配管に接続されるリムノズルと、を備える水洗式便器であって、
前記リムノズルは、
ノズル本体と、
前記ノズル本体の先端側に取り付けられ、前記便器本体内へ吐水する貫通孔を備えるノズルキャップと、を有し、
前記ノズルキャップは、前記ノズル本体との間に、前記リムノズル内の残水を排出するための排出部が形成されるように配置される、水洗式便器。
【請求項２】
前記ノズルキャップの内周面は、前記ノズル本体の先端側から基端側に向かうに従って拡径するテーパ形状である、請求項１に記載の水洗式便器。
【請求項３】
前記ノズル本体は、前記便器本体に前記リムノズルが取り付けられた状態で少なくとも前記ノズル本体の内部における下側に位置する面が、上流側から下流側へ水が流れるように下り傾斜している、請求項１又は２に記載の水洗式便器。
【請求項４】
前記ノズルキャップ及び前記ノズル本体は、前記ノズルキャップに形成される凹部又は凸部と、前記ノズル本体に形成される凸部又は凹部とが互いに係合することにより、互いに係止される、請求項１〜３のいずれか１項に記載の水洗式便器。
【請求項５】
前記便器本体は、上部が開口し洗浄水が供給される凹状のボウル部と、
前記ボウル部の上縁に沿うリム部と、を有し、
前記リム部は、内部が中空に形成されて、前記ボウル部に供給される洗浄水を受け入れ可能なチャンバを有し、
前記リムノズルは、前記チャンバに接続される、請求項１〜４のいずれか１項に記載の水洗式便器。
【発明の詳細な説明】
【技術分野】
【０００１】
本発明は、水洗式便器に関する。
【背景技術】
【０００２】
従来、便器本体の上縁に形成されるリム部の内部に、水を受け入れることができるチャンバを形成した水洗式便器が知られている。この水洗式便器では、チャンバから水圧をかけながらリム部内の流路に洗浄水を供給し、リム部の内側に形成された開口から便器本体のボウル部に洗浄水を供給するように構成されている。チャンバに洗浄水を供給するには、洗浄水を供給する配管にリムノズルを取り付け、リムノズルがリム部に接続される（例えば、特許文献１参照）。
【先行技術文献】
【特許文献】
【０００３】
【特許文献１】特開２００８−３０３６１６号公報
【発明の概要】
【発明が解決しようとする課題】
【０００４】
特許文献１の水洗式便器のように、チャンバに洗浄水を滞留させて水圧をかけて吐水する技術では、ボウル部内へ吐水を行わない間、リムノズル内に残った空気が次の吐水により押圧される。このため、吐水の際に空気の破裂音のような異音が生じるという場合があった。
【０００５】
さらに、便器本体や配管の配置によって、リムノズルが傾斜したり長かったりする場合、リムノズルの内部に残水が溜まることがあった。リムノズルの内部に残水が溜まると、残水が次の吐水に伴い空気を前方に押し出すために、異音がより生じやすくなっていた。
【課題を解決するための手段】
【０００６】
本発明は、便器本体（例えば、後述の便器本体１１０）と、前記便器本体に設けられ、前記便器本体に洗浄水を供給する配管に接続されるリムノズル（例えば、後述のリムノズル１）と、を備える水洗式便器（例えば、後述の水洗式便器１００）であって、前記リムノズルは、ノズル本体（例えば、後述のノズル本体１０）と、前記ノズル本体の先端側に取り付けられ、前記便器本体内へ吐水する貫通孔（例えば、後述の貫通孔３４）を備えるノズルキャップ（例えば、後述のノズルキャップ３）と、を有し、前記ノズルキャップは、前記ノズル本体との間に、前記リムノズル内の残水を排出するための排出部（例えば、後述の排出部３５）が形成されるように配置される、水洗式便器に関する。
【０００７】
前記ノズルキャップの内周面は、前記ノズル本体の先端側から基端側に向かうに従って拡径するテーパ形状であることが好ましい。
【０００８】
前記ノズル本体は、前記便器本体に前記リムノズルが取り付けられた状態で少なくとも前記ノズル本体の内部における下側に位置する面が、上流側から下流側へ水が流れるように下り傾斜していることが好ましい。
【０００９】
前記ノズルキャップ及び前記ノズル本体は、前記ノズルキャップに形成される凹部（例えば、後述の係合溝３３１）又は凸部と、前記ノズル本体に形成される凸部（例えば、後述のキャップ係合凸部１３）又は凹部とが互いに係合することにより、互いに係止されることが好ましい。
【００１０】
前記便器本体は、上部が開口し洗浄水が供給される凹状のボウル部（例えば、後述のボウル部１１１）と、前記ボウル部の上縁に沿うリム部（例えば、後述のリム部１１２）と、を有し、前記リム部は、内部が中空に形成されて、前記ボウル部に供給される洗浄水を受け入れ可能なチャンバ（例えば、後述のチャンバ１１４）を有し、請求項１又は２記載のリムノズルは、前記チャンバに接続されることが好ましい。
【発明の効果】
【００１１】
本発明によれば、残水が滞留しにくく、異音の発生を防止可能なリムノズルを提供することができる。
【図面の簡単な説明】
【００１２】
【図１】本実施形態の水洗式便器の平面図である。
【図２】本実施形態のリムノズルの断面図である。
【図３】本実施形態のリムノズルを示し、（ａ）図は、側面図であり、（ｂ）図は、部分拡大断面図である。
【発明を実施するための形態】
【００１３】
以下、本発明の実施形態について、図面を参照しながら詳細に説明する。図１は、本実施形態の水洗式便器１００を示す図である。
水洗式便器１００は、洗浄水が供給されて汚物を排出する便器本体１１０を有する。便器本体１１０へは、汚物を下水に排出するための洗浄水を供給するジェット配管（図示省略）と、便器本体１１０の上部周縁から便器本体１１０の内壁を洗浄するための洗浄水を供給するリム配管２とが接続される。
【００１４】
便器本体１１０は、ボウル部１１１と、リム部１１２と、貫通孔１１３と、チャンバ１１４と、を有する。便器本体１１０は全体が陶器により形成される。
【００１５】
ボウル部１１１は、上部が開口した凹状に形成され、下水へ連通する排水口を有する。ボウル部１１１には、洗浄水が供給される。
【００１６】
リム部１１２は、ボウル部１１１の上縁に沿う部分であり、リム部１１２の上面は平坦で内部が中空に形成される。リム部１１２の内部には、洗浄水が流通する流路１１２ａが形成されており、図１に示すように、リム部１１２の内側に便器本体１１０の内部に向かって開口する開口部１１２ｂが配置される。
【００１７】
貫通孔１１３は、便器本体１１０の後方上部に配置され、リム部１１２の内部に連通可能な孔である。
【００１８】
チャンバ１１４は、ボウル部１１１に供給する洗浄水を一定量受け入れ、滞留させておくことが可能な空間である。チャンバ１１４は便器本体１１０の後方上部におけるリム部１１２内の中空部に形成される。チャンバ１１４は、流路１１２ａと連続しており、チャンバ１１４に滞留する洗浄水が流路１１２ａを流通してボウル部１１１に供給される。チャンバ１１４の底面は、ボウル部１１１の方へ下り傾斜している。
【００１９】
リム配管２は、一端が便器本体１１０に供給する洗浄水の給水源へ接続され、他端が便器本体１１０に接続されて、便器本体１１０に洗浄水を供給する。より詳細には、リム配管２の他端はリムノズル１に接続され、リムノズル１が便器本体１１０の貫通孔１１３に挿通されて固定される。リム配管２は、柔軟なホース２１により構成され、下流側に向けて傾斜するように取り付けられている。
【００２０】
図２は、リムノズル１の断面図であり、リムノズル１が便器本体１１０に設けられ、貫通孔１１３に貫通した状態を側面から見た断面図である。なお、リムノズル１は、チャンバ１１４に向かって先端側がやや下方に向くように傾斜して取り付けられ、チャンバ１１４に接続される（図３（ｂ）参照）。図２に示すように、リムノズル１は、ノズル本体１０と、固定部材としてのナット４と、弾性部材５と、ガイド付きワッシャ６と、抜け止め金具７と、バックアップリング８と、ノズルキャップ３と、を有する。
なお、本明細書において、リムノズル１の先端とは洗浄水が流通する下流側の端部であり、基端とは、洗浄水が流通する上流側の端部を意味する。
【００２１】
ノズル本体１０は、ホース２１の端部に接続された状態で貫通孔１１３に挿通され、固定される円筒状のアダプタである。ノズル本体１０のホース２１側から洗浄水が供給され、ホース２１と反対側の端部へ向けて洗浄水が流通する。ノズル本体１０は、ホース２１に接続される上流側よりも、便器本体１１０の貫通孔１１３に挿通される下流側の方で径が大きく形成されている。ノズル本体１０は、樹脂製である。ノズル本体１０は、その全体がリムノズル１の上流側から下流側へ水が流れるように下り傾斜している。
【００２２】
ノズル本体１０は、その外側表面に、ノズル本体１０が係合する部品の形状に応じた凹凸が形成されている。具体的には、ノズル本体１０は、ネジ溝１１と、突起１２と、キャップ係合凸部１３と、を有する。
【００２３】
ネジ溝１１は、ノズル本体１０の上流側に配置され、後述するナット４と係合するように構成されている。
【００２４】
突起１２は、ノズル本体１０の下流側に配置され、ノズル本体１０の周囲に沿って環状に突出して形成される。突起１２には、後述する抜け止め金具７が係合する。
【００２５】
キャップ係合凸部１３は、突起１２よりもさらに下流側に配置され、ノズル本体１０の外側表面における一方及び他方に対向して形成される突出部である。キャップ係合凸部１３には、後述するノズルキャップ３が係合する。
【００２６】
弾性部材５は、中心側に中空部５４を有する筒状で、フランジの形成されたゴム製平パッキンである。弾性部材５は、挿入部５１と、内ビード部５２と、当接部５３と、を有する。弾性部材５の中空部５４には、ノズル本体１０が挿通される。
【００２７】
挿入部５１は、貫通孔１１３に挿入される略円筒形の部分であり、ノズル本体１０の挿通する挿通方向に沿って延びる。図２に示すように、挿入部５１を便器本体１１０の貫通孔１１３に挿通させた状態では、挿入部５１と貫通孔１１３の周縁との間に、隙間Ｓが形成されている。
【００２８】
当接部５３は、挿入部５１の一方側で挿入部５１からフランジ状に拡径する部分である。図２に示すように、当接部５３は、挿入部５１が貫通孔１１３に挿入された状態で、貫通孔１１３の周囲の便器本体１１０の表面に当接可能な部分である。当接部５３は、挿入部５１から屈曲して拡径する面が平坦な平面状に形成され、便器本体１１０の表面に面で接触する。また、便器本体１１０の表面と接する側と反対の上流側の面も平坦な平面状に形成され、後述するガイド付きワッシャ６が当接する。
【００２９】
当接部５３は、ノズル本体１０の挿通方向に沿う方向の厚さ寸法Ｔ１が、挿入部５１におけるノズル本体１０の挿通方向に略直交する方向の厚さ寸法Ｔ２、すなわち挿入部５１の管の厚さ寸法よりも大きく構成されている。
【００３０】
内ビード部５２は、当接部５３における中空部５４の内壁面に形成される環状の凸部である。内ビード部５２は、中空部５４の内壁面から内側に向かって突出する環が上下方向に離れて二つ形成されている。内ビード部５２は、ノズル本体１０が中空部５４に挿入された際、ノズル本体１０の外側表面を押圧する。
【００３１】
ガイド付きワッシャ６は、弾性部材５の当接部５３における上流側に配置される。ガイド付きワッシャ６は、樹脂製で略環状の形状を有し、ワッシャ部６１と、ガイド部６２と、貫通孔６３と、を有する。
【００３２】
ワッシャ部６１は、弾性部材５における当接部５３の便器本体１１０の表面に当接する側と反対側の面に配置される。ワッシャ部６１は、当接部５３を覆うように、当接部５３に重ねて配置される。ワッシャ部６１は、当接部５３と略同じかわずかに大きい外径を有する。
【００３３】
ガイド部６２は、ワッシャ部６１の周縁から突出して当接部５３の外周面に沿って延びる側壁である。ガイド部６２は、ワッシャ部６１の面に対して略直交する方向に延び、当接部５３の側面を少なくとも部分的に覆うように配置される。
【００３４】
貫通孔６３は、ワッシャ部６１及びガイド部６２の中心側に形成される円形の穴であり、ノズル本体１０が挿通する。
【００３５】
抜け止め金具７は、中心側にノズル本体１０が挿通される貫通孔７１が形成される略長円形の環状の金具である。抜け止め金具７は、便器本体１１０の表面の貫通孔１１３の下流側で、貫通孔１１３の周囲の面に当接可能に延出する延出部７２を有する。抜け止め金具７は、貫通孔７１にノズル本体１０が挿通した状態で、ノズル本体１０の下流側に形成されたフランジ状の突起１２に当接し、延出部７２が貫通孔１１３の周囲の面の下流側に当接することにより、ノズル本体１０が上流側へ抜けてしまうことを防止する。
【００３６】
バックアップリング８は、中心にノズル本体１０が挿通される貫通孔８１が形成される環状の金具である。バックアップリング８は、抜け止め金具７よりも薄く、外形は略円形状である。バックアップリング８は、弾性部材５が変形した際に、弾性部材５を支持する。
【００３７】
ナット４は、樹脂製であり、挿通孔としてのノズル本体挿通孔４１と、座面部４２と、締結部４３と、を有する。
【００３８】
ノズル本体挿通孔４１は、ノズル本体１０がナット４に挿通する円筒状の貫通孔である。ノズル本体挿通孔４１の内周面には、ノズル本体１０の上流側の外周面に形成されたネジ溝１１に対応するナット４側のネジ溝４１ａが形成されており、ナット４を回転させることでノズル本体１０と係合する。
【００３９】
座面部４２は、ナット４が当接する部材の被当接部としてのガイド付きワッシャ６の上流側の面に当接する平坦な面を有し、平面視で略円形形状に形成される。
【００４０】
締結部４３は、座面部４２の上流側の面に形成される略六角柱状の部分である。締結部４３は、座面部４２からノズル本体１０の挿通方向に沿って起立し、工具により締結される。
【００４１】
ナット４が締結されることで、ガイド付きワッシャ６及び弾性部材５と、ノズル本体１０の突起１２及び便器本体１１０の間に挟まれた抜け止め金具７とが、便器本体１１０における貫通孔１１３の周囲に押圧されて、リムノズル１を固定する。
【００４２】
図３（ａ）は、リムノズル１の側面図であり、図３（ｂ）は、リムノズル１の部分拡大断面図であり、図３（ａ）に示すリムノズル１を下方に傾けて取り付けた状態を示している。図２〜図３（ｂ）に示すように、ノズルキャップ３は、ノズル本体１０に対して脱着可能なキャップであり、有底筒状の形状を有する。ノズルキャップ３は、ノズル本体１０の下流側端部及びその周囲を覆うように取り付けられる。ノズルキャップ３は、キャップ開口部３１と、キャップ底部３２と、キャップ側面部３３とを有する。ノズルキャップ３は、樹脂製である。
【００４３】
キャップ開口部３１は、ノズル本体１０の下流側端部を受け入れるノズルキャップ３の開放端である。
キャップ底部３２は、ノズル本体１０の下流側端部が当接する略円形の面であり、洗浄水を便器本体１１０の内側へ向けて吐水する複数の貫通孔３４が形成されている。図３（ｂ）に示すように、ノズルキャップ３がノズル本体１０に取り付けられた状態では、キャップ底部３２とノズル本体１０の先端側端部との間に間が空いており、ノズル本体１０は、キャップ底部３２に当接していない。
【００４４】
キャップ側面部３３は、ノズル本体１０の下流側の側面に沿う略円筒形の部分である。図３（ａ）に示すように、キャップ側面部３３のキャップ開口部３１側には、ノズル本体１０の下流側に配置されたキャップ係合凸部１３に係合するための係合溝３３１及び係合爪３３２が形成されている。
【００４５】
係合溝３３１は、ノズルキャップ３のキャップ開口部３１側の端部からキャップ底部３２側へ、キャップ側面部３３が切り欠かれて形成される。係合溝３３１は、ノズルキャップ３の周方向に沿う縦長の溝である。係合溝３３１は、一端側にキャップ開口部３１側へ連続する入口３３１ａが形成され、他端側に略Ｕ字状の湾曲部３３１ｂが形成される。係合溝３３１は、キャップ係合凸部１３が内部を摺動可能であるとともに、湾曲部３３１ｂに嵌まるような幅寸法を有する。
【００４６】
係合爪３３２は、ノズルキャップ３のキャップ開口部３１側の端部から係合溝３３１に沿って延びるとともに、先端が湾曲部３３１ｂの内側に向かって鉤状に突出する。係合爪３３２は、弾性変形可能な部材で構成されている。係合爪３３２は、縦長の係合溝３３１の長手方向の中央部で係合溝３３１内に干渉するように突出し、湾曲部３３１ｂにキャップ係合凸部１３が嵌まった状態で、キャップ係合凸部１３の移動を規制する。
【００４７】
ノズルキャップ３は、以下のようにノズル本体１０の先端側に取り付けられる。まず、キャップ係合凸部１３を係合溝３３１の入口３３１ａから係合溝３３１内へ移動させ、キャップ係合凸部１３の係合溝３３１の湾曲部３３１ｂに向かって摺動させる。このとき、キャップ係合凸部１３が係合爪３３２を乗り越えるように係合爪３３２を弾性変形させて、湾曲部３３１ｂにキャップ係合凸部１３を配置させる。ノズルキャップ３は、いわゆるスナップフィットによってノズルキャップ３に係合する。ノズルキャップ３に形成される係合溝３３１と、ノズル本体１０に形成されるキャップ係合凸部１３とが係合することにより、ノズルキャップ３とノズル本体１０とが互いに係止される。
【００４８】
キャップ側面部３３は、キャップ底部３２側からキャップ開口部３１側に向かって、その内周面が拡径するようにテーパ形状になっている。すなわち、ノズルキャップ３のキャップ側面部３３における表面側は、キャップ底部３２側からキャップ開口部３１側に向かって外径の変化しない円筒状であるが、内周面側は、ノズル本体１０の先端側から基端側に向かうに従って内径が拡がるように傾斜している。
【００４９】
排出部３５は、図３（ｂ）に示すように、ノズル本体１０の先端側の外周面とノズルキャップ３の内周面との間に形成される隙間である。排出部３５は、例えば、ノズル本体１０の径方向に０．１ｍｍ〜０．３ｍｍ程度形成される。
【００５０】
ノズルキャップ３は、ノズル本体１０とぴったりと嵌り合っておらず、ノズル本体１０の先端側を緩く覆っている。このため、ノズル本体１０内を流通した洗浄水は、排出部３５から排出される。図３（ｂ）に示すように、ノズル本体１０は下方に傾斜して配置されており、ノズル本体１０の先端とノズルキャップ３のキャップ底部３２との間に水が滞留することも考えられる。しかし、次の吐水が行われて、上流側から洗浄水が供給されて空気が圧縮されるとき、図３（ｂ）中の矢印のように内部の残水及び空気は排出部３５から抜けることができる。このため、前方の貫通孔３４等から水鉄砲のように水が押し出されたり、空気が前方に向けて圧縮されたりすることが緩和され、破裂音のような異音が発生することが防止される。
【００５１】
以上の水洗式便器１００では、リム配管２が下方に傾斜してノズル本体１０へ水を流すので、洗浄水の給水源からの給水が停止された場合、リム配管２内の残水は、ノズル本体１０へ流れる。また、ノズル本体１０自体が下方に傾斜して取り付けられているため、残水はノズル本体１０内をさらに下方へ流れ、リムノズル１のノズル本体１０とノズルキャップ３との間の排出部３５から排出される。排出部３５から排出された残水は、チャンバ１１４の底面がボウル部１１１の方へ傾斜しているため、チャンバ１１４からボウル部１１１へ排水される。
【００５２】
本実施形態によれば、以下の効果を奏する。
本実施形態では、水洗式便器１００を、便器本体１１０と、便器本体１１０に設けられ、便器本体１１０に洗浄水を供給するリム配管２に接続されるリムノズル１と、を含んで構成した。また、リムノズル１を、ノズル本体１０と、ノズル本体１０の先端側に取り付けられ、便器本体１１０内へ吐水する貫通孔３４を備えるノズルキャップ３と、を含んで構成し、ノズルキャップ３を、ノズル本体１０との間に、リムノズル１内の残水を排出するための排出部３５が形成されるように配置させた。
リムノズル１が、ノズル本体１０とノズルキャップ３との２つの部品を有し、ノズルキャップ３が、ノズル本体１０の外周面とノズルキャップ３の内周面との間に洗浄水の排出部３５が形成されるように配置されるので、ノズル本体１０の先端へ流れた水が、傾斜したノズルキャップ３の内周面を伝い、排出部３５からノズルキャップ３のキャップ開口部３１側へ流れやすい。このため、リムノズル１を流通した水が、吐水しない間にリムノズル１内に滞留することを防止することができる。特に、ノズル本体１０が傾斜していたり、長かったりする場合でも、洗浄水がノズル本体１０の外周面とノズルキャップ３の内周面との間の排出部３５から逃げるので、リムノズル１内に残水が滞留しにくい。残水が滞留しにくいため、リムノズル１内に存在する空気が、次の吐水の際に残水によって前に一気に前方へ押し出されることが防止できる。また、排出部３５が形成されていることにより、次の吐水の際に流れてきた洗浄水とリムノズル１の内部の中で圧力が高まることが防止できる。これにより、押し出される空気により発生する異音を低減し、静かな吐水を実現することができる。
【００５３】
本実施形態では、ノズルキャップ３の内周面を、ノズル本体１０の先端側から基端側に向かうに従って拡径するテーパ形状にした。ノズルキャップ３の内周面がテーパ形状に形成されていることで、排出部３５から水が排出されるとともに空気も逃げるので、リムノズル１内の圧力を逃がすことができる。従って、上記と同様の効果を奏する。また、ノズルキャップ３の内周面がテーパ形状になっていることで、ノズルキャップ３がノズル本体１０の先端を緩く覆い、ノズルキャップ３の脱着が容易である。
【００５４】
本実施形態では、ノズル本体１０を、便器本体１１０にリムノズル１が取り付けられた状態で少なくともノズル本体１０の内部における下側に位置する面が、上流側から下流側へ水が流れるように下り傾斜させた。これにより、ノズル本体１０内を流れる洗浄水が下方へ導かれ、ノズル本体１０の先端側とノズルキャップ３との間に形成された排出部３５から残水が流れやすくなる。よって、上記と同様の効果を奏する。
【００５５】
本実施形態では、ノズルキャップ３及びノズル本体１０を、ノズルキャップ３に形成される係合溝３３１と、ノズル本体１０に形成されるキャップ係合凸部１３とを、互いに係合することにより係止させた。
ノズル本体１０とノズルキャップ３が螺合や圧入接続でなく、凹部と凸部の係合により係止されているので、ノズル本体１０とノズルキャップ３の間に十分な排出部３５を形成しやすい。また、ノズル本体１０とノズルキャップ３の間に排出部３５が形成されていても、互いが外れないように係止することができる。
【００５６】
本実施形態では、便器本体１１０を、上部が開口し洗浄水が供給される凹状のボウル部１１１と、ボウル部１１１の上縁に沿うリム部１１２と、を含んで構成した。また、リム部１１２を、内部が中空に形成されて、ボウル部１１１に供給される洗浄水を受け入れ可能なチャンバ１１４を含んで構成し、リムノズル１を、チャンバ１１４に接続した。
これにより、リム部１１２の内部にチャンバ１１４を有し、チャンバ１１４にリムノズル１を接続して、リム部１１２から便器本体１１０のボウル部１１１へ向けて吐水する水洗式便器１００において、リムノズル１内の残水の滞留を防止することができる。よって、上記と同様の効果を奏することができる。
【００５７】
以上、本発明の好ましい実施形態について説明したが、本発明は、上述の実施形態に制限されるものではなく、適宜変更が可能である。
例えば、上記実施形態では、ノズル本体１０に形成される凸部であるキャップ係合凸部１３にノズルキャップ３に形成される係合溝３３１が係合するように構成されているが、これに限られない。ノズル本体の外側表面に凹部としての溝を形成し、ノズルキャップの内周面に、ノズル本体の溝に係合する凸部を形成してもよい。
【００５８】
また、上記実施形態では、ノズル本体１０及びノズルキャップ３は、樹脂により形成されているが、これに限られない。ノズル本体１０及びノズルキャップ３が係合する部分のみ弾性変形可能な部材で構成してもよい。また、樹脂でなく柔軟性のある金属で形成されていてもよい。
【００５９】
また、上記実施形態では、チャンバ１１４の底面は、排出部３５から排水された水を傾斜したチャンバ１１４の底面からボウル部１１１へと流すように構成されているが、これに限られない。例えば、チャンバ１１４の底面に、排出部３５から排出される残水を排出する排出経路を別途設けて、排出経路から残水を排出させるように構成してもよい。
【００６０】
また、上記実施形態では、ノズル本体１０は、その全体が上流側から下流側に向かって下り傾斜するように取り付けられているが、これに限られない。便器本体１１０にリムノズル１が取り付けられた状態で、少なくともノズル本体１０の内部における下側に位置する面が下り傾斜してさえいれば、ノズル本体１０の外側の面や、上側又は上側寄りの側面が下り傾斜していなくてもよい。
【符号の説明】
【００６１】
１      リムノズル
２      リム配管（配管）
３      ノズルキャップ
３４    貫通孔
３５    排出部
１０    ノズル本体
１３  キャップ係合凸部（凸部）
１００  水洗式便器
１１０  便器本体
１１１  ボウル部
１１２  リム部
１１４  チャンバ
３３１  係合溝（凹部）
【図１】
2020133098.tif 000003
【図２】
2020133098.tif 000004
【図３】
2020133098.tif 000005